(57)【要約】【課題】ボールを被覆する保護用皮膜が取り外し易く、且つチップ先端部に設けたインキ表示部が消去し難いボールペンレフィルを提供する。【解決手段】本発明は、チップ先端に向かって徐々に縮径する略裁頭円錐形状に形成したチップ先端部の内壁に、ボール抱持室を形成し、前記ボールペン抱持室の底壁にボールを載置し、チップ先端縁を内側にかしめることによりボールを回転自在に抱持してなるボールペンチップを、直接又はチップホルダーを介してインキ収容筒に装着し、前記インキ収容筒にボールペン用インキを直詰めしてなるボールペンレフィルであって、前記チップ先端部の外壁に、前記ボールペンチップの軸心に略平行となる平地面を非円周状に形成し、前記平地面に、インキ収容筒に充填するボールペン用インキと同色のインキ色表示部を設けるとともに、前記ボールを被膜する保護用樹脂被膜を、前記平地面の一部を少なくとも被覆するように付着する。【選択図】図２
2011093099.tif 000002
【特許請求の範囲】
【請求項１】
チップ先端に向かって徐々に縮径する略裁頭円錐形状に形成したチップ先端部の内壁に、ボール抱持室を形成し、前記ボールペン抱持室の底壁にボールを載置し、チップ先端縁を内側にかしめることによりボールを回転自在に抱持してなるボールペンチップを、直接又はチップホルダーを介してインキ収容筒に装着し、前記インキ収容筒にボールペン用インキを直詰めしてなるボールペンレフィルであって、前記チップ先端部の外壁に、前記ボールペンチップの軸心に略平行となる平地面を非円周状に形成し、前記平地面に、インキ収容筒に充填するボールペン用インキと同色のインキ色表示部を設けるとともに、前記ボールを被膜する保護用樹脂被膜を、前記平地面の一部を少なくとも被覆するように付着したことを特徴とするボールペンレフィル。
【発明の詳細な説明】
【技術分野】
【０００１】
本発明は、ボールペンチップを、直接又はチップホルダーを介してインキ収容筒に装着し、前記インキ収容筒にボールペン用インキを直詰めしてなるボールペンレフィルに関する。
【背景技術】
【０００２】
従来から、チップ先端に向かって徐々に縮径する略裁頭円錐形状に形成してなる先端部を有するボールペンチップは、よく知られている。また、こうしたボールペンチップを装着したボールペンレフィルにおいて、インキ漏れ防止のために、ボールを被膜する保護用樹脂被膜を付着した構造も、特開２００５−６７１２８号公報「ボールペン」等に開示されている。
【０００３】
ところで、登録実用新案第３１３４９９３号公報「筆記具」等、軸筒内に複数本のボールペンレフィルを収容した多芯式ボールペンにおいて、摺動体等、インキ収容筒に収容したボールペン用インキと同色のインキ色表示部を設けてなるボールペンレフィルを用いることはよく知られている。また、こうした多芯筆記具において、チップ先端部の外壁に、インキ色表示部を設けた構造も開示されている。
【先行技術文献】
【特許文献】
【０００４】
【特許文献１】特開２００５−６７１２８号公報
【特許文献２】登録実用新案第３１３４９９３号公報
【発明の開示】
【発明が解決しようとする課題】
【０００５】
しかしながら、特許文献１のように、チップ先端部の外壁に、ボールを被膜する保護用樹脂被膜を付着する場合、使用前の移動時等に剥がれることがないように、付着力を高めておく必要がある。その反面、使用開始時に、使用者が保護用樹脂皮膜を容易に剥がすことができない問題があった。
【０００６】
また、特許文献２のように、軸筒内に複数本のボールペンレフィルを収容した多芯式ボールペンでは、チップ先端部の外壁に設けたインキ色表示部が、繰り返しの出没作動によって、軸筒内壁面との接触により剥がれてしまう問題があった。
【０００７】
本発明の目的は、ボールを被覆する保護用皮膜が取り外し易く、且つチップ先端部に設けたインキ表示部が消去し難いボールペンレフィルを提供することにある。
【課題を解決するための手段】
【０００８】
上記目的を達成するために、本発明は、チップ先端に向かって徐々に縮径する略裁頭円錐形状に形成したチップ先端部の内壁に、ボール抱持室を形成し、前記ボールペン抱持室の底壁にボールを載置し、チップ先端縁を内側にかしめることによりボールを回転自在に抱持してなるボールペンチップを、直接又はチップホルダーを介してインキ収容筒に装着し、前記インキ収容筒にボールペン用インキを直詰めしてなるボールペンレフィルであって、前記チップ先端部の外壁に、前記ボールペンチップの軸心に略平行となる平地面を有する段部を非円周状に形成し、前記平地面に、インキ収容筒に充填するボールペン用インキと同色のインキ色表示部を設けるとともに、前記ボールを被膜する保護用樹脂被膜を、前記平地面の一部を少なくとも被覆するように付着したことを特徴とする。
【０００９】
本願発明の構成によれば、略裁頭円錐形状のチップ先端部に、前記ボールペンチップの軸心に略平行となる平地面を有する段部を非円周状に形成し、前記平地面に、インキ収容筒に充填するボールペン用インキと同色のインキ色表示部を設けているので、出没時において、軸筒先端開口部の内壁にチップ先端部が当接しても平地面は非接触となり、経時によってインキ色表示部が剥がれ落ちにくくすることができる。また、平地面であるために、印刷や着色などを施しやすく製造工程を容易にする効果も奏する。
【００１０】
また、前記平地面の一部を少なくとも被覆するように前記ボールを被膜する保護用樹脂被膜を付着しているため、保護用樹脂被覆を軸心に対して回転することによって、簡単に取り外すことができる。
【発明の効果】
【００１１】
本発明は、ボールを被覆する保護用皮膜が取り外し易く、且つチップ先端部に設けたインキ表示部が消去し難いボールペンレフィルを提供することができた。
【図面の簡単な説明】
【００１２】
【図１】本願発明のボールペンレフィルを示す要部縦断面図である。
【図２】図１における一部省略した要部拡大図である。
【図３】本願発明のボールペンレフィルを用いたスライド式の多芯筆記具の縦断面図である。
【図４】図３における一方のボールペンレフィルのチップ先端部が突出した状態を示す図である。
【発明を実施するための最良の形態】
【００１３】
次に図面を参照しながら、本発明のボールペンレフィルの実施形態を説明するが、本発明は以下の実施形態に限定されるものではない。
【００１４】
実施例１
図１、図２に示す実施例１のボールペンレフィル１は、インキ収容筒２の先端に、ボール径がφ０．７ｍｍのボール３を回転自在に抱時したボールペンチップ４を装着するとともに、インキ収容筒２内に、ボールペン用インキ１３及びインキ追従体１４を直に収容してボールペンレフィル１を得ている。また、ボールペンチップ４内には、ボールの後端に、ボール３をチップ先端縁５ａの内壁に常に押圧するコイルスプリング１２を配設してある。
【００１５】
ボールペンチップ４はボール抱持室６にインキ流通孔７と、放射状に延びたインキ流通溝８を有し、ボール抱持室６の底壁に設けた筆記用ボールと略同形のボール座９に、ボール３を載置し、チップ先端部５のチップ先端縁５ａを内側にかしめことにより、ボール３の一部がチップ先端縁５ａより突出するように回転自在に抱持している。
【００１６】
また、チップ先端部５は、チップ先端に向かって徐々に縮径する略裁頭円錐形状に形成してあり、このチップ先端部５の外壁に、ボールペンチップ４の軸心Ｊに略平行となる平地面５ｂを有する段部を非円周状に形成してある。この平地面５ｂには、ボールペン用インキと同色に着色したインキ色表示部１０を設けている。
【００１７】
また、チップ先端部５には、ボール３を被膜する保護用樹脂被膜１１を、平地面５ｂの一部を少なくとも被覆するように付着してある。そのため、保護用樹脂被膜１１をボールペンチップ４の軸心Ｊに対して回転することで、簡単に取り外すことができる。
【００１８】
実施例１のボールペンレフィルを筆記具として用いる場合には、例えば図３に示すように、前軸２２と後軸２３を螺着して軸筒本体を構成し、後軸２３内に配設した。２個の摺動体２４、２５の隆起部２４ａ、２５ａを外部に露出して配設してある。各摺動体２４、２５には、インキ色の異なる、本発明のボールペンレフィル１、１０１を２本、コイルスプリング２６、２７により後方に付勢させて摺動可能に連接してある、従来から知られている出没機構のスライド式の多芯筆記具である。
【００１９】
一方のボールペンレフィル１のボールペンチップ４を前軸２２の先端開口部２２ａから出没させるには、摺動体２６を前軸の先端開口部２２ａ方向へスライドすることにより、摺動体２６の係合突起２６ａが後軸２３内に形成した係止部２３ａに係止して、ボールペンレフィル１のボールペンチップ４を前軸の先端開口部２２ａから選択して突出を維持することができる。
【００２０】
また、一方のボールペンレフィル１のボールペンチップ４を前軸の先端開口部２２ａから突出した状態で、他の摺動体２７を前軸の先端開口部２２ａ方向にスライドすることで、摺動体２７の解除突起２７ｃが摺動体２６の係止を解除し、ボールペンレフィル１のボールペンチップ４を前軸２内に没入させることができる。さらに摺動体２７を前軸の先端開口部２２ａ方向へスライドすることにより、他方のボールペンレフィル１０１のボールペンチップ１０４の突出状態を維持することができる。
【００２１】
この時、ボールペンレフィル１のチップ先端部５は、前軸の内壁に当接して出没するが、平地面５ｂに設けたインキ色表示部７は、出没時において、前軸の先端開口部２２の内壁にチップ先端部５が当接しても平地面５ｂは非接触となり、経時によってインキ色表示部１０が剥がれ落ちにくい。
【００２２】
尚、本実施例では、便宜上、インキ色表示部を周設しているが、平地面にインキ色表示部を設けていればよい。
【産業上の利用可能性】
【００２３】
本発明のボールペンレフィルは、筆記体やインキの種類に限定されることなく、ボールペンとして広く実施可能である。特に、本発明のボールペンレフィルは、チップ先端部に設けたインキ色表示部が剥がれ難いので、多芯筆記具とて好適に用いることができる。
【符号の説明】
【００２４】
１、１０１  ボールペンレフィル
２、１０２  インキ収容筒
３  ボール
４、１０４  ボールペンチップ
５  チップ先端部
５ａ  チップ先端縁
５ｂ  平坦面
１０  インキ色表示部
１１  保護用樹脂被膜
２１  多芯筆記具
２２  前軸
２３  後軸
２４、２５  摺動体
２６、２７  コイルスプリング
【図１】
2011093099.tif 000003
【図２】
2011093099.tif 000004
【図３】
2011093099.tif 000005
【図４】
2011093099.tif 000006